(57)【要約】【課題】有色の塗料の塗布などをすることなく、自然の状態の魚皮をそのまま生かして釣果を向上させるとともに、何度使用しても色落ち、変色、腐敗しない耐久性にも優れていて、釣果を持続させられるルアーを提供する。【解決手段】魚釣りに使用するルアーであって、ホルマリン希釈液に浸漬した銀化魚から分離した後に真水に浸漬して油抜きした魚皮を、ルアー本体の表面に両面テープと瞬間接着剤によって固定し、さらに前記銀化魚の魚皮の上に希釈シンナーで調整されたウレタン樹脂塗料を複数回重ねて塗布して形成した樹脂層を備える。【選択図】図１
0003149413.tif 000002
【実用新案登録請求の範囲】
【請求項１】
ホルマリン希釈液に浸漬した銀化魚から分離した後に真水に浸漬して油抜きした魚皮を、ルアー本体の表面に両面テープと瞬間接着剤によって固定し、さらに前記銀化魚の魚皮の上に希釈シンナーで調整されたウレタン樹脂塗料を複数回重ねて塗布して形成した樹脂層を備えたことを特徴とするルアー。
【考案の詳細な説明】
【技術分野】
【０００１】
本考案は、魚釣りで使用するルアーに関するものであって、特に、ルアー本体の表面に本物の魚の皮を用いたものに関する。
【背景技術】
【０００２】
従来の魚釣りに用いられるルアーは、釣りの対象となる魚の餌となる本物の魚に見せかけるために、ルアー本体に様々な色彩、模様、濃淡などを施して、本物の魚に少しでも近づけるように工夫されていた。しかし、このように人工的に色彩、模様、濃淡などを施して餌となる小魚、特に魚の鱗の部分などを模倣しただけのルアーでは、その使用頻度が多くなるにつれて、釣りの対象となる魚に、疑似餌であることを次第に見破られるようになり、釣果を思うように向上することができずにいた。
【０００３】
そこで、これらの人工的な色彩、模様、濃淡などの代わりに本物の魚の皮をルアーの表面に使用することによって、釣果を向上させようとするルアーがいくつか提供されている。
例えば、イカ釣りにおけるスッテと呼ばれる擬餌釣り針に関して、魚体の形状を模して成形されたスッテ本体と、スッテ本体の端部に配置された釣り針と、スッテ本体を表装する魚皮と、魚皮をスッテ本体表面に固定する糸と、魚皮に魚の鱗を模した装飾部を備えるものが提供されている（特許文献１を参照）。
また、ルアー本体表面に本物の小魚の魚皮及びエラブタ周辺を被覆し、ルアーの外観を釣りの対象魚の餌となる小魚により近づけたルアーも提供されている（特許文献２を参照）。
【先行技術文献】
【特許文献】
【０００４】
【特許文献１】実用新案登録第３０６７７１１号公報
【特許文献２】特開２００５−６６１９号公報
【考案の概要】
【考案が解決しようとする課題】
【０００５】
ところで、魚の肉や内臓と魚皮との分離をしただけの魚皮をルアーの表面に単に固定するだけでは、何回か使用するにつれてルアーの表面に固定された魚皮が色落ちしたり、干物のように黄変したり、あるいは腐敗したりするようになり、短期間はルアーとしての効果を上げられるものの、長期間、自然の魚皮の状態を保ち、その効果を維持することが出来ないという問題がある。
そこで、これらの変色等によって効果が下がるのを防ぐためには、魚皮に有色の塗料を塗布して装飾したり、鱗状の部材を貼付したり、反射板を貼付したりしたりすることなどが考えられている。しかし、こういった工夫では、自然の魚皮の劣化を人口的に補っているために、自然の魚皮を使用して釣果を向上させるという本来の目的が達成されないという問題もあった。
従って、本願にかかる考案が目的とするところは、魚皮に有色の塗料の塗布などの人口的な装飾などをすることなく、自然の状態の魚皮をそのまま生かして、従来の釣り用ルアーに比べて釣果を向上させるとともに、何度使用しても色落ち、変色、腐敗しない耐久性にも優れていて、釣果を持続させられるルアーを提供することである。
【課題を解決するための手段】
【０００６】
上記の課題を解決するために本考案は、魚釣りに使用するルアーであって、ホルマリン希釈液に浸漬した銀化魚から分離した後に真水に浸漬して油抜きした魚皮を、ルアー本体の表面に両面テープと瞬間接着剤によって固定し、さらに前記銀化魚の魚皮の上に希釈シンナーで調整されたウレタン樹脂塗料を複数回重ねて塗布して形成した樹脂層を備えたことを特徴とする。
【考案の効果】
【０００７】
本考案にかかるルアーは、魚の肉や内臓と分離した魚皮をそのまま使用してルアー本体に固定するのではなく、ホルマリン希釈液に浸漬した銀化魚から分離した後に真水に浸漬して油抜きした魚皮を使用し、さらに当該魚皮の上に希釈シンナーで調整されたウレタン樹脂塗料を複数回重ねて塗布して形成した樹脂層を備えることにより、魚皮が色落ち、変色、腐敗することなく製造時の自然の状態をいつまでも維持できるとともに、艶出しをして鱗の鮮やかさを引き出すことができるので、釣果を持続的に向上させることができるという効果がある。
また、ウレタン樹脂塗料の樹脂層を備えることによって、ルアーの強度も向上し、釣りをしている際に岩などにルアーが接触したとしても、ルアー本体及び魚皮が傷つかず、結果としてルアーとしての利用可能期間を長くすることができるという効果もある。
【図面の簡単な説明】
【０００８】
【図１】本考案にかかるルアーの平面図である。
【図２】本考案にかかるルアーの短手方向の断面図である。
【考案を実施するための形態】
【０００９】
従来の釣り用ルアーに比べて釣果を向上させ、かつ、耐久性に優れたルアーを提供するという目的を、本物の魚皮を使用しながら、ルアーとしての利用可能期間を長くすることを実現した。
【実施例１】
【００１０】
本考案の実施の形態を図面を参照しながら、以下に説明する。図１は、本考案にかかるルアーの平面図であり、図２は、ルアーの短手方向の断面図である。
本実施の形態におけるルアーは、図１及び図２に示されるように、ルアー本体１と、ルアー本体１と魚皮３を固定する両面テープ２と、銀化した魚の魚皮３と、希釈シンナーで調整されたウレタン樹脂塗料を複数回重ねて塗布して形成した樹脂層４から構成されている。
なお、図１及び図２は、スプーンをルアー本体１とする場合であって魚皮３をルアー本体１の片面に固定した場合を例に図示している。しかし、本考案は、この片面に固定した場合に限られるものではなく、両面に固定した場合であっても良い。両面に固定した場合を図２を例に説明すると、ルアー本体１の下側に、さらに両面テープ２、魚皮３、樹脂層４が構成される。
【００１１】
ルアーの形態による分類としては、スプーン、スピナー、ジグ、プラグ（ミノーを含む）などがある。ルアー本体１は、上記の通り、図１及び図２ではスプーンの形態を例に示しているが、この形態に限られるものではなく、ルアーであればスピナー、プラグなど、どの形態であっても良い。また、ルアー本体１の材質も特定の材質に限られるものではなく、金属、牛の角、プラスチック、木などであっても良い。
また、ルアー本体１は、釣り針が当初から装着されているものだけでなく、ルアーブランクのように釣り針が当初は装着されていないものであっても良い。図１のルアー本体１に２箇所の孔が設けられているが、実際に魚釣りをする際には、これらの孔の各々にはスプリット・リングが装着され、１箇所には釣り針が他の１箇所には釣糸が連結されるものである。
【００１２】
魚皮３としては、サクラマス、ヒメマス、虹鱒、ワカサギ、チカ、ホンマスなどの銀化した魚の皮を利用する。まず銀化魚を腐敗防止のためにホルマリン希釈液に１日から３日間浸漬する。その後、魚の肉や内臓と魚皮との分離をした後に、魚皮の部分を、変色防止のために油抜きをする。より詳しくは、台所洗剤で魚皮の油を落とした後、真水に２４時間浸漬しながらスポンジで魚皮の油をさらに落とし、その真水を２〜３回取替えることによって油抜きをする。これによって、魚の干物のように魚皮が黄変することを防止することができる。そして、油抜きした魚皮を乾燥させて、ルアー本体１に固定する。
なお、本考案においては、鱗のもつ光を最大限に生かすため及び自然の色を出すために、魚皮３に人工的な着色をする塗装などはしない。  
このように、より自然の魚の皮に近い状態でルアーに固定するために、釣ろうとする魚に疑似餌であることが見破られにくくなり、釣果の向上が可能となる。
【００１３】
次に、乾燥させた魚皮３を、両面テープ２と瞬間接着剤によってルアー本体１の表面に固定する。固定する魚皮３は、ルアー本体１の表面の大きさに合わせて切断したものを固定する場合に限られるわけではなく、固定しようとするルアー本体１の表面の大きさより大きく切断したものをまず固定した後、ルアー本体１からはみ出した部分を切断してルアー本体１の表面の大きさに合わせて調整しても良い。
なお、魚皮３は、ルアー本体１の片面だけに固定する場合に限られるわけではなく、全ての面に固定する場合であっても良い。また、ルアー本体１の片面だけに固定する場合であっても、片面すべてに固定する場合に限られるわけではなく、片面の一部だけに魚皮３を固定する場合であっても良い。
【００１４】
そして、気泡の発生防止のために希釈シンナーで調整した透明のウレタン樹脂塗料を何度も薄く重ねて塗布して樹脂層４を形成する。ここで薄く重ね塗りするのは、表面を滑らかに仕上げるためである。このウレタン樹脂塗料からなる樹脂層４を備えることによって、艶出しをして鱗の鮮やかさを引き出すことが可能となる。このように、自然の鱗を生かすために、例えば糸の巻き付けや縫合によって魚皮３をルアー本体１に固定したり、夜光性物質や光沢性物質によって鱗を模した装飾を魚皮３に施したりというようなことをすることなく、釣ろうとする魚に対する視覚効果をより向上させることができる。
【００１５】
さらに、ウレタン樹脂塗料を何度も薄く重ねて塗布することによって、形成する樹脂層４が厚くなり、ルアーとしての強度も増して耐久性に優れ過度の使用にも耐えることが可能となる。
なお、図２のように魚皮３をルアー本体１の片面だけに固定した場合であっても、樹脂層４をさらにルアー本体１の魚皮３を固定していない方の面にも形成することでルアーの強度を高めても良い。
【符号の説明】
【００１６】
１  ルアー本体
２  両面テープ
３  魚皮
４  樹脂層
【図１】
0003149413.tif 000003
【図２】
0003149413.tif 000004